(57)【特許請求の範囲】
【請求項１】
押釦ハンドルが押し込まれたときに、この押釦ハンドルの押し込み動作にともなって反転ハンドルを反転回動させ、この反転ハンドルの反転回動に応じて接点部の切り換えを行うようにした押釦スイッチと、上記押釦スイッチの上下方向の長さよりも長い上下方向の長さを有して、該接点部の切り換えを行うようにした押釦スイッチの上部に取付けられ上記押釦ハンドルをピアノタッチ操作で押圧する合成樹脂製のピアノハンドルとを備え、押釦スイッチには押釦スイッチの位置或いは状態を発光表示するための発光手段を内蔵するとともにこの発光手段の発光をピアノハンドル側の表面から外へ導くための透光窓を設け、ピアノハンドルにはこの透光窓から出た光で表示を行う光透過性樹脂からなる発光表示部を被着する表裏貫通の開口部を設け、この開口部に臨むレンズ部を発光表示部に備えたピアノハンドル式スイッチであって、上記ピアノハンドルが上記押釦スイッチを３個取り付けることができる取り付け窓を持つ取付枠に、上記押釦スイッチを上、中、下の３個並べて取り付けた際に、各押釦スイッチに装着する３個用のピアノハンドルであって、上記各ピアノハンドルの裏面には上記各押釦スイッチの透光窓からの光を上記発光表示部に導光するための共通のプリズムを設け、このプリズムは出射面を開口部を介して上記発光表示部のレンズ部に対向させ、出射面の背方側から上側方向に設けた側方突出プリズム部の背方側に、下用の押釦スイッチの透光窓からの光を入射する入射面を形成し、上記出射面の背方側から下側方向に設けた側方突出プリズム部の背方側に、上用の押釦スイッチの透光窓からの光を入射する入射面を形成し、上記出射面の背方側に、中用の押釦スイッチの透光窓からの光を入射する入射面を形成するとともに、各側方突出プリズム部の入射面からの光を出射面に導く反射面を内部に形成し、上記発光表示部を上記レンズ部とこのレンズ部周囲に形成された固定部とで構成するとともに、上記レンズ部と固定部とを２重成形により形成して成り、上記発光表示部の固定部の裏面には上記ピアノハンドル側に設けた圧入用孔に圧入して上記ピアノハンドルに固定するための圧入用ピンを設けたことを特徴とするピアノハンドル式スイッチ。
【請求項２】
上記発光表示部の表面にホットスタンプ若しくはインモールド成形によりインクを転写して成ることを特徴とする請求項１記載のピアノハンドル式スイッチ。
【請求項３】
上記プリズムの出射面を凹曲面としたことを特徴とする請求項１記載のピアノハンドル式スイッチ。
【請求項４】
上記上側の側方突出プリズム部の入射面から入った光を出射面に向けて反射する反射面を、当該反射面で反射されて出射面から出る光に対する上向きの視野角が大きくなるように形成して成ることを特徴とする請求項１記載のピアノハンドル式スイッチ。
【請求項５】
上記プリズムの出射面から出た光による発光表示の視野角が上向きとなるように発光表示部のレンズ部の入射面を下向き傾斜面として成ることを特徴とする請求項１又は３又は４記載のピアノハンドル式スイッチ。
【発明の詳細な説明】
【０００１】
【発明の属する技術分野】
本発明は、ピアノタッチ操作で接点部の接点切換を行うピアノハンドル式スイッチの発光表示部の構造に関するものである。
【０００２】
【従来の技術】
従来から図２８に示すようなピアノハンドル式スイッチが知られている。このピアノハンドル式スイッチは、押釦ハンドル３２が押し込まれたときに、この押釦ハンドル３２の押し込み動作にともなって反転ハンドル３１を反転回動させ、この反転ハンドル３１の反転回動に応じて接点部１００の切り換えを行うようにした押釦スイッチ５と、押釦スイッチ５の上部に取付けられ上記押釦ハンドル３２をピアノタッチ操作で押圧するピアノハンドル４３とを備えたものである。そして、ピアノハンドル４３のピアノタッチの操作により押釦スイッチ５の接点部１００を切り換えるようにしている。ピアノハンドル４３に、枢支端側の下面から一対の回動片４３ａを垂設すると共に、押圧操作端側の下面から押釦スイッチ５からの抜け止め用の一対の抜止片４３ｂを垂設してある。上記回動片４３ａはカバー５ｂに形成された凹部５４に係合され、抜止片４３ｂが空所１２内に挿入され、抜止片４３ｂ側の押圧操作端側を押圧すると、回動片４３ａ側を支点としてピアノタッチ式に回動するようになっている。
【０００３】
上記のピアノハンドル式スイッチは、取り付け窓に押釦スイッチを上、中、下に嵌め込んで３個取り付けることができる取付枠２を用いて埋め込み配設されるようになっている。そして取付枠２の取り付け窓の中央に１個取付けた場合には取付枠の大きさと略同じ大きさの１個用ピアノハンドル４３が装着され、取付枠２の取り付け窓に上、下に夫々押釦スイッチを取付けた場合には取付枠２の大きさを上下に２分する大きさの２個用ピアノハンドル４３が装着され、取付枠２の取り付け窓の上、中、下に夫々取付けた場合には取付枠２の上下方向の長さの１／３の長さを上下方向の寸法とした３個用のピアノハンドル４３が装着される。
【０００４】
【発明が解決しようとする課題】
ところで、上記の従来のピアノハンドル式スイッチには押釦スイッチの内部に位置や状態を示す発光手段を備え、押釦スイッチの表面に設けた透光窓から発光手段の光を外へ出し、その光をピアノハンドルの発光表示部に導光してピアノハンドルの表面から視認できるようにしたものがあるが、光透過性樹脂からなる発光表示部をピアノハンドルに取り付けるのに、従来は発光表示部に設けたダボをピアノハンドルに押し込んで固定する方法であった。
【０００５】
そのためダボの嵌合部の寸法ばらつきに弱く、例えばかかり代が大の場合には固く、押し込み固定時に傷が付くという問題があり、逆にかかり代が小の場合には衝撃により外れやすいとい問題があった。
また透光窓を押釦スイッチの上下方向を２分する線上に設けるため、１個用ピアノハンドルや、２個用ピアノハンドルの場合にはピアノハンドルの上下方向を２分する線上に透光窓に対向する発光表示部を設けることができるが、しかしながら３個用ピアノハンドルの場合、取付枠の中央に取付られる押釦スイッチに装着するピアノハンドル以外は透光窓の位置と発光表示部の位置とがずれるため、一端に設けた入射面を透光窓に対向させ、他端の出射面を発光表示部に対向させるようなプリズムをピアノハンドルの裏面に設けて押釦スイッチの透光窓から出た光をピアノハンドル側の発光表示部に導くようにしていたが、この場合取付枠の取り付け窓に取り付けられる押釦スイッチの位置に対応したピアノハンドルを準備しなければならないという問題があった。
【０００６】
本発明は上記問題点に鑑みて為されたもので、その目的とするところは３個用ピアノハンドルを押釦スイッチの取付枠に対する取付位置にかわかわらず共通に使用できるピアノハンドル式スイッチを提供するにある。
【０００７】
【課題を解決するための手段】
上記目的を達成するために請求項１の発明では、押釦ハンドルが押し込まれたときに、この押釦ハンドルの押し込み動作にともなって反転ハンドルを反転回動させ、この反転ハンドルの反転回動に応じて接点部の切り換えを行うようにした押釦スイッチと、上記押釦スイッチの上下方向の長さよりも長い上下方向の長さを有して、該接点部の切り換えを行うようにした押釦スイッチの上部に取付けられ上記押釦ハンドルをピアノタッチ操作で押圧する合成樹脂製のピアノハンドルとを備え、押釦スイッチには押釦スイッチの位置或いは状態を発光表示するための発光手段を内蔵するとともにこの発光手段の発光をピアノハンドル側の表面から外へ導くための透光窓を設け、ピアノハンドルにはこの透光窓から出た光で表示を行う光透過性樹脂からなる発光表示部を被着する表裏貫通の開口部を設け、この開口部に臨むレンズ部を発光表示部に備えたピアノハンドル式スイッチであって、上記ピアノハンドルが上記押釦スイッチを３個取り付けることができる取り付け窓を持つ取付枠に、上記押釦スイッチを上、中、下の３個並べて取り付けた際に、各押釦スイッチに装着する３個用のピアノハンドルであって、上記各ピアノハンドルの裏面には上記各押釦スイッチの透光窓からの光を上記発光表示部に導光するための共通のプリズムを設け、このプリズムは出射面を開口部を介して上記発光表示部のレンズ部に対向させ、出射面の背方側から上側方向に設けた側方突出プリズム部の背方側に、下用の押釦スイッチの透光窓からの光を入射する入射面を形成し、上記出射面の背方側から下側方向に設けた側方突出プリズム部の背方側に、上用の押釦スイッチの透光窓からの光を入射する入射面を形成し、上記出射面の背方側に、中用の押釦スイッチの透光窓からの光を入射する入射面を形成するとともに、各側方突出プリズム部の入射面からの光を出射面に導く反射面を内部に形成し、上記発光表示部を上記レンズ部とこのレンズ部周囲に形成された固定部とで構成するとともに、上記レンズ部と固定部とを２重成形により形成して成り、上記発光表示部の固定部の裏面には上記ピアノハンドル側に設けた圧入用孔に圧入して上記ピアノハンドルに固定するための圧入用ピンを設けたことを特徴とする。
【００１２】
請求項２の発明では、請求項１の発明において、上記発光表示部の表面にホットスタンプ若しくはインモールド成形によりインクを転写して成ることを特徴とする。
【００１３】
請求項３の発明では、請求項１の発明において、上記プリズムの出射面を凹曲面としたことを特徴とする。請求項４の発明では、請求項１の発明において、上記上側の側方突出プリズム部の入射面から入った光を出射面に向けて反射する反射面を、当該反射面で反射されて出射面から出る光に対する上向きの視野角が大きくなるように形成して成ることを特徴とする。
【００１４】
請求項５の発明では、請求項１又は３又は４の発明において、上記プリズムの出射面から出た光による発光表示の視野角が上向きとなるように上記発光表示部のレンズ部の入射面を下向き傾斜面として成ることを特徴とする。
【００１５】
【発明の実施の形態】
以下、本発明を実施形態により説明する。
まずピアノハンドル式スイッチの基本的構造から説明する。本発明のピアノハンドル式スイッチは、図１、図３、図４に示すように、押釦ハンドル３２の押圧操作により接点部の接点切換が行われる押釦スイッチ５と、この押釦スイッチ５の上面に一端部が回動自在に枢支され他端部を押圧して押釦ハンドル３２を押圧操作するピアノハンドル４３とからなる。
【００１６】
押釦スイッチ５の器体は、合成樹脂製のボディ５ａとカバー５ｂとで形成されており、規格化された既製の埋込型の配線器具の１個モジュール寸法に形成してある。そして、押釦スイッチ５の表面側の部材であるカバー５ｂには、既製の配線器具を埋設する場合に用いる取付枠２に着脱自在に取付可能とするために、両端面に一対の係止爪１１，１１を夫々突設してあり、一方の係止爪１１の背部には空所１２を形成し、係止爪１１が背方へ弾性的にたわむようにしてある。従って、既製の配線器具用の取付枠２に係止爪１１，１１を係止させて押釦スイッチ５を着脱自在に取り付けることができ、既製の埋込型の配線器具と同様にして壁面などの造営面に埋設できるようにしてある。ボディ５ａとカバー５ｂの結合はカバー５ｂより垂下した係止片３の係止孔４にボディ５ａの側面に形成してある係止突起６を係止させることにより行っており、係止時には係止片３の弾性と係止突起６の上端の傾斜面６ａを利用して簡単に係止ができるようになっている。
【００１７】
この押釦スイッチ５のボディ５ａ内の一端部に接続端子収納部１３を形成し、また、他端部に接続端子収納部１４を形成し、更に中央部に中央収納部２３を形成してあり、一端部の接続端子収納部１３に鎖錠ばね１１０を内装した端子板１５が収納され、また、他端部の接続端子収納部１４には鎖錠ばね１１０を内装した端子板１８が収納される。図中１１１はボディ５ａの両側に配置される２つの鎖錠ばね１１０の解除釦である。そして、端子板１５と鎖錠ばね１１０と解除釦１１１とで速結端子が構成してある。
【００１８】
ここで端子板１８には固定接点２５が固着された延設片１８ａを形成してあり、この延設片１８ａを隔壁６０ａに近接する中央収納部２３側に延出して、中央収納部２３内に固定接点２５を位置させている。
また端子板１５から中央収納部２３に支持片１５ａが延出してあり、開閉体２４が中央収納部２３内に入れられて導電体からなる各開閉体２４の下端が支持片１５ａ上に回動自在に立設してある。ここで、開閉体２４の両端下部に設けた突部を中央収納部２３の内側壁に形成されたＶ状凹部２７に嵌め込んで、Ｖ状凹部２７の下部を中心に回動自在となっている。開閉体２４には可動接点２９が設けてある。そして、開閉体２４の回動に応じて可動接点２９を固定接点２５に接離して、端子板１５と端子板１８との間の接続、切離を行う。
【００１９】
本実施形態においては上記のように固定接点２５と可動接点２９とで接点部１００が構成してある。上記接点部１００の開閉を行うための開閉体２４は反転ハンドル３１の反転回動により操作されるように構成してある。
すなわち、反転ハンドル３１の下部には下方に開口した筒部３１ａが並設してあり、反転ハンドル３１の下部の筒部３１ａにはコイルスプリング９９の上部が納められ、各コイルスプリング９９の下部が上記開閉体２４の上縁に係止され、反転ハンドル３１の回動に応じて開閉体２４を反転駆動するようになっている。
【００２０】
反転ハンドル３１は、両側に設けた逆三角形状の軸３１ｂをカバー５ｂの内壁に形成された軸受け９８に枢支して回動自在に取り付けられ、上部の両端にスライドカム３３に掛合する掛合突起３４を突設してある。押釦ハンドル３２はカバー５ｂに上下動自在に取り付けられ、下方に配置される復帰ばね３７により常時上方に付勢されている。スライドカム３３は両端下面に上記反転ハンドル３１の掛合突起３４に摺動係合する掛合カム体３８が形成され、押釦ハンドル３２の下面側において摺動自在に取り付けられ、内部に形成されたハ状の一対のばね片３３ａの間に押釦ハンドル３２の下面に形成している突起（図示せず）が挿入され、このばね片３３ａで復帰力を与えている。
【００２１】
図１に示すように、押釦スイッチ５の器体のカバー５ｂの表面側端部には横向きとなった軸部１９２が所定間隔を開けて２つ一体突設してある。これらの軸部１９２は上部が横向きの略円柱形状をしている。
ピアノハンドル４３は、図２（ａ）に示すように、裏面部の一端部に下開口がはめ込み用開口部となった穴１９１ａと金属製の軸受け用ばね体１９１ｂとで構成される軸受け部１９１が設けてある。穴１９１ａは内壁の片側に係止穴１９０を設け、穴１９１ａに収納される軸受け用ばね体１９１ｂの抜け止め爪１９１ｃを係止して軸受け用ばね体１９１ｂを固持している。軸受け用ばね体１９１ｂは先端を穴１９１ａ内へ突出するように曲げ形成し、この突出部１９１ｄと穴１９１ａとで軸部１９２を支持するようになっている。
【００２２】
下方に開口した穴１９１ａのはめ込み用開口部は上記突出部１９１ｄとで軸受け部１９１の内部よりも幅狭としており、前述の押釦スイッチ５の上部に設けた軸部１９２を図２（ｂ）に示すように弾性的にはめ込んだ場合、軸部１９２と軸受け部１９１との枢支結合が外れないようになっている。このように軸部１９２を軸受け部１９１に回動自在に嵌め込むことでピアノハンドル４３を回動自在に軸支する軸支部が構成される。そして、この軸支部を中心にしてピアノハンドル４３を回動させる場合、回動する方のピアノハンドル４３の裏面部に直接軸受け部１９１を設けてあることで、回動する方のピアノハンドル４３の裏面部に下方に長く突出する従来例における回動片のようなクリープ変形する部位が存在しなくなるものである。なお、ピアノハンドル４３の他端には背方に向けて抜け止め用の一対の抜止片４３ｂを突設してある。抜止片４３ｂが空所１２内に挿入され、ピアノハンドル４３が回動しても抜止片４３ｂの先端が空所１２から抜けないようになっている。
【００２３】
上記のようにピアノハンドル４３が押釦スイッチ５に取付けられるのであるが、ピアノハンドル４３を押圧操作すると、軸受け部１９１と軸部１９２との軸支部を中心にしてピアノハンドル４３がピアノタッチ式に回動する。そして、このピアノハンドル４３の回動により押釦スイッチ５の押釦ハンドル３２を押圧操作する。
【００２４】
次に、上記押釦スイッチ５の動作を簡単に説明する。図４の状態は固定接点２５に可動接点２９が接しているオンの状態である。いま、図４の状態で、ピアノハンドル４３を操作したとすると、ピアノハンドル４３の操作に伴って押釦ハンドル３２が復帰ばね３７に抗して押し下げられ、押釦ハンドル３２の押し下げによりスライドカム３３が下降する。そして、スライドカム３３の図中左側の係合カム体３８が、反転ハンドル３１の左側の掛合突起３４に当たることにより、反転ハンドル３１が回動される。このとき、反転ハンドル３１の回動に伴ってスライドカム３３が図中の左側にスライドしている。このようにして反転ハンドル３１が反転回動されると、コイルスプリングが反転して開閉体２４が反転し、可動接点２９が固定接点２５から離れてオフ状態となる。この反転後、ピアノハンドル４３の押し下げ力を解除すると、復帰ばね３７で押釦ハンドル３２が押し上げられ、このときピアノハンドル４３が元の状態に戻る。そして、これと同時にスライドカム３３もばね片３３ａのばね力で中央部に摺動復帰する。このオフ状態から再びピアノハンドル４３を押し下げ操作すると、上記とは逆に反転ハンドル３１が回動して可動接点２９が固定接点２５に接触してオンとなる。
【００２５】
押釦スイッチ５内には発光手段（図示せず）が設けてあり、この発光手段からの光を外部に出すための光透過性樹脂カバーが被着された透光窓１０１が押釦スイッチ５のカバー５ｂの軸部１９２，１９２間に設けられ、ピアノハンドル４３には透光窓１０１からの光が導光されて発光表示を行なう発光表示部１１３が設けてある。発光手段としては接点部１００がオンの場合に発光するものと、接点部１００がオフの場合に発光するものとがある。本実施形態の場合には発光手段がスイッチの存在を示すための所謂ほたる表示をするために可動接点２９が固定接点２５から離れてオフ状態となっている時発光する。そしてこの発光手段による発光はピアノハンドル４３に設けた発光表示部１１３で視認できる。また、図示は省略しているが、接点部１００がオンの場合に発光手段が発光するものの場合、接点部１００のオン、オフにより「入り」、「切り」される負荷（例えば空調装置）などの「入り」状態が発光表示部１１３において発光手段の発光により視認できるものである。
【００２６】
ところで、本発明においては、規格化された埋込型の配線器具の１個モジュールとなった押釦スイッチ５を取付ける取付枠２は一般に上記１個モジュールの押釦スイッチ５を上下方向に３個並べて取付けることができる３個モジュールに対応して取付窓を有するものであるが、この３個モジュールの取付枠２には上記１個モジュールの押釦スイッチ５を１つ取付ける場合、２つ取付ける場合、３個取付ける場合がある。ここで、３個モジュールの取付枠２に１個モジュールの押釦スイッチ５を１つ取付ける場合において押釦スイッチ５に取付けるピアノハンドル４３を１個用のピアノハンドル４３と称し、また、３個モジュールの取付枠２に１個モジュールの押釦スイッチ５を２つ取付ける場合において該２つの押釦スイッチ５にそれぞれ取付けるピアノハンドル４３を２個用のピアノハンドル４３と称し、また、３個モジュールの取付枠２に１個モジュールの押釦スイッチ５を３つ取付ける場合において該３つの押釦スイッチ５にそれぞれ取付けるピアノハンドル４３を３個用のピアノハンドル４３と称する。
【００２７】
上記種類のピアノハンドル４３は、（１個用のピアノハンドル４３の上下長さ）＝（２個用のピアノハンドル４３の上下長さ）×２＝（３個用のピアノハンドル４３の上下長さ）×３となっている。
また、３個用のピアノハンドル４３の上下長さは操作性を良くするため押釦スイッチ５よりも上下方向の長さを長くしてある。
【００２８】
図５には３個用のピアノハンドル４３を押釦スイッチ５に取付ける場合の例が示してある。ピアノハンドル４３の一端部の裏面部に設けられる軸受け部１９１は、所定間隔の一対の軸部１９２に対応する所定間隔で４つ設けられ、その内の両側の二つの軸受け部１９１に対応する軸受け用ばね体１９１ｂは一体に連結されている。
【００２９】
そして、図５に示すように取付枠２に上下方向に３個の押釦スイッチ５を並べて取付けた場合、中間の押釦スイッチ５にピアノハンドル４３を取付ける場合には中央の二つの軸受け部１９１に中間の押釦スイッチ５の二つの軸部１９２をはめ込んで取付けるものであり、このことにより中間の押釦スイッチ５のセンターと該中間の押釦スイッチ５に取付けるピアノハンドル４３のセンターとが一致するように取付けられる。また、上の押釦スイッチ５にピアノハンドル４３を取付ける場合には下側の二つの軸受け部１９１に上の押釦スイッチ５の軸部１９２，１９２をはめ込んで取付けるものであり、このことにより上の押釦スイッチ５のセンターよりも上の押釦スイッチ５に取付けるピアノハンドル４３のセンターが上にずれて位置するように取付けられる。また、下の押釦スイッチ５にピアノハンドル４３を取付ける場合には上の二つの軸受け部１９１，１９１に下の押釦スイッチ５の軸部１９２，１９２を嵌め込んで取付けるものであり、このことにより下の押釦スイッチ５のセンターよりも下の押釦スイッチ５に取付けるピアノハンドル４３のセンターが下にずれて位置するように取付けられる。このようにすることで、共通の３個用のピアノハンドル４３として上用、中間用、下用のいずれにも共通して使用することができるものである。
【００３０】
ここで、上記３個用のピアノハンドル４３を用いたものにおいて、押釦スイッチ５に設けた発光手段からの光をピアノハンドル４３に設けた発光表示部１１３に導光して発光表示するに当たって、３個用のピアノハンドル４３には発光手段の光を発光表示部１１３に導光するためのプリズム２００が設けてある。図６にはプリズム２００の一例が示してある。本実施形態においては、プリズム２００は図６に示すように、出射面２０１が三角波形状をした凹凸形状となっている。凹凸形状となった出射面２０１の背方側から上下両側方に向けて側方突出プリズム部２０７が設けてあり、この側方突出プリズム部２０７は背面部に上用の押釦スイッチ５又は下用の押釦スイッチ５からの光を入射する入射面２０３を設け、入射面２０３から内部に入った光を側方突出プリズム部２０７内の第１の反射面と、第２の反射面で反射させて出射面２０１から出射させるようになっている。また凹凸形状の出射面２０１の背方には中用の押釦スイッチ５の発光手段からの光が入射する凹部からなる入射面２０２を設けてあり、この入射面２０２の凹部の両側内壁面が傾斜して出射面２０１の背方に一端が至って非対称となっており、その傾斜面がプリズム２００内に導光された光の第２の反射面となっている。
【００３１】
上記の構成の図６に示すプリズム２００は３個用のピアノハンドル４３の背面側に出射面２０１が３個用のピアノハンドル４３に設けた発光表示部１１３に対向するように熱着等により取付けてある。ここで、本実施形態の発光表示部１１３は光透過性樹脂により形成され、ピアノハンドル４３に裏面から表面に開口し、プリズム２００の出射面２０１部位を臨ませた開口部４３ａにピアノハンドル４３の表面側から被着されているもので、中央部にレンズ部１１３ａを形成し、そのレンズ部１１３ａの裏面を下向き傾斜面１１３ｅとし、この下向き傾斜面１１３ｅによりプリズム２００の非対称の第２の反射面と併せて上向き方向の視野角を上げて見易くしてある。
【００３２】
ここで発光表示部１１３の構成について詳説すると、発光表示部１１３は図７（ａ）に示すようにレンズ部１１３ａとこのレンズ部１１３ａの周囲の枠状の固定部１１３ｂとからなり、固定部１１３ｂを１次成形し、レンズ部１１３ａを２次成形した２重成形品からなるもので、側方からみると断面が略Ｌ状になっている。そして２重成形によりレンズ部１１３ａと固定部１１３ｂとを異なる色とすることもでき、また基本例のように固定部１１３ｂの裏面には仮固定用ピン１１３ｃと、超音波熱着に用いるＥＤ（突出部）１１３ｄを形成することができるのである。
【００３３】
而して図８（ａ）に示すようにピアノハンドル４３の開口部４３ａに発光表示部１１３を上から嵌め込み固定部１１３ｂの周縁を開口部４３ａの内周に形成せる段部４３ｂ上に載置するとともに、裏面の仮固定用ピン１１３ｃを開口部４３ａの段部４３ｂに形成した挿通用孔４３ｃ（上下、側面が開口している）に挿入してピアノハンドル４３に発光表示部１１３を固定した後、図８（ｂ）に示すように超音波熱着ホーン２６０を押し当て、超音波のエネルギーによりＥＤ１１３ｄを溶解させ段部４３ｂに熱着固定するのである。
【００３４】
しかして、中用の押釦スイッチ５に取付けた３個用のピアノハンドル４３においては図６に示すように入射面２０２が中間の押釦スイッチ５の透光窓１０１に対向し、また、上用の押釦スイッチ５に取付けられた３個用のピアノハンドル４３においては下側の側方突出プリズム部２０７の入射面２０３が上用の押釦スイッチ５の透光窓１０１に対向し、また、下用の押釦スイッチ５に取付けられた３個用のピアノハンドル４３においては上側の側方突出プリズム部２０７の入射面２０３が下用の押釦スイッチ５の透光窓１０１に対向するものである。
【００３５】
そして、上用あるいは下用の押釦スイッチ５の透光窓１０１から出射された光は、模式図である図６（ａ）（ｃ）に示すように入射面２０３から側方突出プリズム部２０７に入射し、側方突出プリズム部２０７内で反射して凹凸形状の出射面２０１から発光表示部１１３に向けて出射するのである。また、中用押釦スイッチ５の透光窓１０１から発光された光は、図６（ｂ）に示すように入射面２０２から入射し、凹凸形状の出射面２０１から発光表示部１１３に向けて出射するのである。この場合、出射面２０１を三角波状の凹凸形状とすることで、出射面２０１から出射する光の出射を偏りを無くしてほぼ同じ方向にすることができる。そして下用の押釦スイッチ５の透光窓１０１から出た光は図６（ａ）のように対応するプリズム２００の非対称の第２の反射面と、発光表示部１１３のレンズ部１１３ａの入射面である下向き傾斜面１１３ｅとで図示するように上向き方向の視野角が上げられ上方向からの視認性が良くなっているため、良く見えることになる。
【００３６】
勿論第２の反射面の形状のみでも上向き方向の視野角を上げることができるから、発光表示部１１３のレンズ部１１３ａの入射面を下向き傾斜面１１３ｅとしなくても良い。また逆に発光表示部１１３のレンズ部１１３ａの入射面を下向き傾斜面１１３ｅとすることで上向き方向の視野角を上げることができるから、プリズム２００側の第２の反射面を非対称としなくても良い。
【００３７】
勿論実施形態のようにプリズム２００の非対称の第２の反射面と、発光表示部１１３のレンズ部１１３ａの入射面である下向き傾斜面１１３ｅとを併せることにより、上方向の視野角を上げる効果は大きい。図１には３個用のピアノハンドル４３にネームカード２５０を取付ける例を示している。すなわち、ピアノハンドル４３の表面側に凹平面２５１を設け、該凹平面２５１の底にプレート出し入れ用の窓２５２を設け、この窓２５２にはピアノハンドル４３の裏面側から開閉自在に枢支された扉２５４を設けてあり、また凹平面２５１には少なくとも窓２５２に対応して配置されるネームカード２５０が見えるように中央部２５３ａが透明なネームカバー２５３が被着されている。
【００３８】
ここでネームカバー２５３は両側に夫々先端に向けて細くなっている一対の突起２５５を図１に示すように突設し、これに対応するようにピアノハンドル４３の窓２５２の両側に突起２５５を圧入するための圧入用孔２５６を穿設しており、突起２５５を圧入用孔２５６に圧入してネームカバー２５３をピアノハンドル４３に固定するのである。
【００３９】
さて窓２５２に枢支する扉２５４は、一端の両側に軸体２６４ａ、２６４ｂを突設し、この軸体２６４ａ、２６４ｂを窓２５２の一端部の両側に凹平面２５１側に開口した軸受け部２６５ａ，２６５ｂに回動自在に嵌め込んで軸体２６４ａ，２６４ｂを中心に窓２５２を開閉できるようになっている。この場合ネームカバー２５３が上述のように固定されることにより軸受け部２６５ａ，２６５ｂに嵌まった軸体２６４ａ，２６４ｂは脱落しないようになっている。
【００４０】
そして扉２５４の他端部の両側には突起２６６が設けられ、この突起２６６は窓２５２の他端部の両側に形成した係合部２６７に圧入係合して閉じた状態を保持するようになっている。而してネームカード２５０を収納する場合には扉２５４をピアノハンドル４３の裏面側から開いて、ネームカード２５０を窓２５２に嵌めてネームカバー２５３の裏面に載せ、この状態で扉２５４を閉じれば扉２５４とネームカバー２５３との間に狭持され、ネームカバー２５３の中央部２５３ａより表側からネームカード２５０の文字、数字、記号が視認できることとなる。
【００４１】
尚扉２５４の両側に突出させた軸体２６４ａを他方の軸体２６４ｂより長くし、この長さに対応する軸受け部２６５ａ、２６５ｂをピアノハンドル４３側に設けることにより、逆組み防止を図っている。ところで、上記で説明した基本例は発光表示部１１３を超音波熱着でピアノハンドル４３に固定しているが、図９及び図１０（ａ）（ｂ）に示すように仮固定用ピン１１３ｃの代わりに圧入用リブ１１３ｆを発光表示部１１３の固定部１１３ｂに一体突設するとともに、ピアノハンドル４３の開口部４３ａの段部４３ｂに圧入用孔４３ｄを設け、圧入用孔４３ｄに圧入用リブ１１３ｆを圧入することにより発光表示部１１３をピアノハンドル４３に固定するようにしても良い。
【００４４】
また発光表示部１１３にインク転写によりデザインの向上を図る場合には従来では裏面にホットスタンプ等によりインク転写を行っていたが、図１６（ａ）乃至（ｄ）に示すように下面にフィルムインク層３００ａを形成したフィルム３００を成形金型３０１内に設置し、金型３０１内に樹脂液３０２を流し込んでインモールド転写成形を行い、この成形後型開きして成形された発光表示部１１３を取り出すという方法により発光表示部１１３の成形と同時にその表面にインクを転写できる。そのためデザイン性に優れ、しかも裏面側に圧入用リブ等を形成した発光表示部１１３を得ることができる。
【００４５】
また図１７（ａ）乃至（ｄ）に示すように予め成形した発光表示部１１３を受け治具３０３上に載置し、この載置した発光表示部１１３上に下面にフィルムインク層３００ａを形成したフィルム３００を載置し、このフィルム３００表面からホットスタンプ用治具３０４を押し当ててホットスタンプを行うことにより、発光表示部１１３の表面にインク転写することができる。そのためデザイン性に優れ、しかも裏面側に圧入用リブ等を形成した発光表示部１１３を得ることができる。
【００４６】
また上記の実施形態ではプリズム２００の出射面２０１を三角波状の凹凸形状とすることで、出射面２０１から出射する光の出射の偏りを無くしているが、図１８（ａ）に示すように出射面２０１を凹曲面に形成しても上側、下側の側方突出プリズム部２０７の入射面２０３或いは中央の入射面２０２から入ってきた光を図１８（ｂ）（ｄ）（ｃ）に示すように偏りなく出射面２０１から略同じ方向に出射することができ、視認性の向上が図れる。上記で説明した実施形態は発光表示部１１３を備えた１個モジュールの押釦スイッチ５を用い、３個モジュールの取付枠２の取り付け窓に図１９に示すように３個取付けて夫々に３個用のピアノハンドル４３を取付ける場合であったが、図２０、図２１には、ネームカード２５０を収納する構造を持たない例を示している。
【００５０】
【発明の効果】
請求項１の発明は、押釦ハンドルが押し込まれたときに、この押釦ハンドルの押し込み動作にともなって反転ハンドルを反転回動させ、この反転ハンドルの反転回動に応じて接点部の切り換えを行うようにした押釦スイッチと、上記押釦スイッチの上下方向の長さよりも長い上下方向の長さを有して、該接点部の切り換えを行うようにした押釦スイッチの上部に取付けられ上記押釦ハンドルをピアノタッチ操作で押圧する合成樹脂製のピアノハンドルとを備え、押釦スイッチには押釦スイッチの位置或いは状態を発光表示するための発光手段を内蔵するとともにこの発光手段の発光をピアノハンドル側の表面から外へ導くための透光窓を設け、ピアノハンドルにはこの透光窓から出た光で表示を行う光透過性樹脂からなる発光表示部を被着する表裏貫通の開口部を設け、この開口部に臨むレンズ部を発光表示部に備えたピアノハンドル式スイッチであって、上記ピアノハンドルが上記押釦スイッチを３個取り付けることができる取り付け窓を持つ取付枠に、上記押釦スイッチを上、中、下の３個並べて取り付けた際に、各押釦スイッチに装着する３個用のピアノハンドルであって、上記各ピアノハンドルの裏面には上記各押釦スイッチの透光窓からの光を上記発光表示部に導光するための共通のプリズムを設け、このプリズムは出射面を開口部を介して上記発光表示部のレンズ部に対向させ、出射面の背方側から上側方向に設けた側方突出プリズム部の背方側に、下用の押釦スイッチの透光窓からの光を入射する入射面を形成し、上記出射面の背方側から下側方向に設けた側方突出プリズム部の背方側に、上用の押釦スイッチの透光窓からの光を入射する入射面を形成し、上記出射面の背方側に、中用の押釦スイッチの透光窓からの光を入射する入射面を形成するとともに、各側方突出プリズム部の入射面からの光を出射面に導く反射面を内部に形成し、上記発光表示部を上記レンズ部とこのレンズ部周囲に形成された固定部とで構成するとともに、上記レンズ部と固定部とを２重成形により形成して成り、上記発光表示部の固定部の裏面には上記ピアノハンドル側に設けた圧入用孔に圧入して上記ピアノハンドルに固定するための圧入用ピンを設けているので、取付枠の取り付け窓に３個の押釦スイッチを取り付けた場合にあっても、その取り付け位置に関係なく共通に使用できるピアノハンドルを実現できる。加えて、傷つけることなく発光表示部をピアノハンドルに容易に且つ確実に固定することができ、そのため衝撃により外れる恐れもないという効果がある。さらに、デザイン性の向上や、あるいは固定のためのピン、ダボ等を形成することが容易であるという効果がある。
【００５１】
請求項２の発明は、請求項１の発明において、発光表示部の表面にホットスタンプ若しくはインモールド成形によりインクを転写したので、デザイン性の向上とともに、取り付けのためのピンやダボをインク転写部位に影響を与えることなく形成できる。
【００５３】
請求項３の発明は、請求項１の発明において、プリズムの出射面を凹曲面としたので、入射面が異なっても偏りなく出射面より光を出射することができる。請求項４の発明は、請求項１の発明において、上側の側方突出プリズム部の入射面から入った光を出射面に向けて反射する反射面を、当該反射面で反射されて出射面から出る光に対する上向きの視野角が大きくなるように形成したので、出射面から出る光の上方向からの視認性を向上させることができる。
【００５４】
請求項５の発明は、請求項１又は３又は４の発明において、プリズムの出射面から出た光による発光表示の視野角が上向きとなるように発光表示部のレンズ部の入射面を下向き傾斜面としたので、出射面から出る光の上方向からの視認性を向上させることができる。
【図面の簡単な説明】
【図１】本発明の一実施形態の分解斜視図である。
【図２】同上のピアノハンドルと押釦スイッチの枢支部の説明図である。
【図３】同上の押釦スイッチの分解斜視図である。
【図４】同上の側断面図である。
【図５】同上の３個用ピアノハンドルと押釦スイッチとの取付関係説明図である。
【図６】同上のプリズム部の説明図である。
【図７】（ａ）は本発明の基本例の発光表示部の斜視図である。（ｂ）は同上の発光表示部の断面図である。
【図８】同上の発光表示部の組立説明図である。
【図９】本発明の実施形態の発光表示部の斜視図である。
【図１０】本発明の実施形態の発光表示部の組立説明図である。
【図１６】本発明に用いる発光表示部のフィルム転写方法の一例を示す説明図である。
【図１７】本発明に用いる発光表示部のフィルム転写方法の別例を示す説明図である。
【図１８】同上の別のプリズムの説明図である。
【図１９】同上の押釦スイッチを取付枠に３個取り付けてピアノハンドルを装着した状態の正面図である。
【図２０】同上の別の例の押釦スイッチを取付枠に３個取り付け、ピアノハンドルを装着した状態の正面図である。
【図２１】図２０における３個用ピアノハンドルと押釦スイッチとの取付関係説明図である。
【図２８】従来例の断面図である。
【符号の説明】
５ａ      ボディ
５ｂ      カバー
３２      押釦ハンドル
４３      ピアノハンドル
４３ａ    開口部
４３ｂ    段部
４３ｃ    挿入用孔
１０１    透光窓
１１３    発光表示部
１１３ａ  レンズ部
１１３ｂ  固定部
１１３ｃ  仮固定用ピン
１９１    軸受け部
１９１ｂ  軸受け用ばね体
１９２    軸部
２００    プリズム
２５０    ネームカード
２５１    凹平面
２５２    窓
２５３    ネームカバー
２５４    扉
２５５    圧入用突起
２５６    圧入用孔
【図１】
0003567676.tif 000002
【図２】
0003567676.tif 000003
【図３】
0003567676.tif 000004
【図４】
0003567676.tif 000005
【図５】
0003567676.tif 000006
【図６】
0003567676.tif 000007
【図７】
0003567676.tif 000008
【図８】
0003567676.tif 000009
【図９】
0003567676.tif 000010
【図１０】
0003567676.tif 000011
【図１６】
0003567676.tif 000012
【図１７】
0003567676.tif 000013
【図１８】
0003567676.tif 000014
【図１９】
0003567676.tif 000015
【図２０】
0003567676.tif 000016
【図２１】
0003567676.tif 000017
【図２８】
0003567676.tif 000018